(57)【要約】      （修正有）【課題】近傍の床の振動がその他の室内スペースに伝導し難くして防音機能を果たすことができる新型の中空床構造を提供する。【解決手段】下部鉄筋メッシュ、中空軽量部材及び上部鉄筋メッシュを含み、中空軽量部材は上・下部鉄筋メッシュの間に設けられるので、この新型の床構造はセメントが注入されて凝固すると、中空軽量部材はセメント注入量を減らすことが出来る共に防音効果も向上する。また、階層全体のセメントの使用量を減らすので、不必要な梁構造を設置しないで済み、全体のスペース運用での融通性が一層向上する。【選択図】図２
0003160373.tif 000002
【実用新案登録請求の範囲】
【請求項１】
基板と、
複数本の同一水平面の縦方向鉄筋と複数本の同一水平面の横方向鉄筋を含み、前記複数本の縦方向鉄筋と前記複数本の横方向鉄筋は互いに交錯して少なくとも１つの第１収納箇所を形成し前記基板上に設置される下部鉄筋メッシュと、
前記基板上に設けられて前記第１収納箇所を貫通し、又は前記下部鉄筋メッシュ上に設けられる中空軽量部材と、
複数本の同一水平面の縦方向鉄筋と複数本の同一水平面の横方向鉄筋を含む上部鉄筋メッシュと、
を含み、前記上部鉄筋メッシュの前記複数本の縦方向鉄筋は前記下部鉄筋メッシュの前記複数本の縦方向鉄筋に対応して設置され、前記上部鉄筋メッシュの前記複数本の縦方向鉄筋と前記複数本の横方向鉄筋は互いに交錯して少なくとも１つの第２収納箇所を形成し、前記第２収納箇所は前記第１収納箇所に対応して設置されることを特徴とする新型の中空床構造。
【請求項２】
前記中空軽量部材は円筒状又は長方形の柱状の中空軽量部材でよいことを特徴とする請求項1に記載の新型の中空床構造。
【請求項３】
前記第１収納箇所又は前記第２収納箇所の形状は正方形又は長方形である
ことを特徴とする請求項1に記載の新型の中空床構造。
【請求項４】
前記中空軽量部材の底部は前記基板又は下部鉄筋メッシュに接着する接着面を含むことを特徴とする請求項1に記載の新型の中空床構造。
【考案の詳細な説明】
【技術分野】
【０００１】
本考案は防音可能な新型の中空床構造に関する。
【背景技術】
【０００２】
マンションでの階上の跳躍の動作、キッチンの調理器具が落ちる音、机や椅子を動かす音は何れも階下の居住者にとって騒音となり得るものであり、階下の居住者の平穏を妨げることとなり、さらに深夜の浴室での水音も階下の居住者の安眠を妨害するが、こうした音はふつう床衝撃音と呼ばれている。それは床の振動によって階下のスペースに伝わるので、一般の空気伝導に対する防音や吸音措置を講ずることができず、床衝撃音を軽減する技術を使用しなくてはならず、こうした技術は階上（騒音発生源）に施さないと効果を生じない。
【０００３】
床衝撃音の音源は重量衝撃源と軽量衝撃源とに分けられ、人が跳躍する動作（成人の体操による跳躍）や子供が走り回る動作といった音源は重量衝撃音である。
【０００４】
これに対して、物が落ちる音（キッチンの調理器具）、机や椅子を動かす音、女性のハイヒールの音、マージャンの牌をかき混ぜる動作といった音源は軽量衝撃源である。
【考案の概要】
【考案が解決しようとする課題】
【０００５】
近年国内では高性能住宅が流行しているが、従来の鉄筋コンクリートの伝導係数は高く、防音の度合いは低く、しょっちゅう階上や階下の騒音に晒されているため、床衝撃音を緩衝する機能も主な研究の趨勢となっている。
【０００６】
また、従来の床の熱伝導、蓄熱値が大きいため、断熱、防寒効果が低く、別途断熱層を設けないとエネルギー消耗が大きい。また従来の床に必要なセメントが多量であることから、範囲が狭く、小梁が多く、室内スペースが狭まる等の欠点があった。これに鑑みて本考案の考案人は上記の欠点が改善可能と考え、鋭意検討を重ねた結果、合理的設計で上記の課題を効果的に改善する本考案の提案に到った。
【課題を解決するための手段】
【０００７】
本考案の目的は、上・下部鉄筋メッシュの間に中空軽量部材を設けることによって、近傍の床の振動がその他の室内スペースに伝導し難くして防音機能を果たすことができる新型の中空床構造を提供することにある。
【０００８】
本考案のもう一つの目的は、上・下部鉄筋メッシュの間に中空軽量部材を設けることによって、床の伝導係数を減らしてさらに断熱目的を達することができる新型の中空床構造を提供することにある。
【図面の簡単な説明】
【０００９】
【図１】本考案に係る新型の中空床構造の実施形態の設置フローチャートである。
【図２】本考案に係る新型の中空床構造の実施形態の概略図である。
【図３】本考案に係る新型の中空床構造の別の実施形態の概略図である。
【図４】本考案に係る新型の中空床構造の別の実施形態のフローチャートである。
【図５】本考案に係る新型の中空床構造を変化させた実施形態の概略図である。
【考案を実施するための形態】
【００１０】
以下、本考案の実施形態を図面に基づいて説明する。
【実施例１】
【００１１】
図１に示すように、下部鉄筋メッシュ１１と上部鉄筋メッシュ１３は一定の距離Ｘをとるのが好ましく、この実施形態では距離Ｘは１５〜３０ｃｍであり、異なる厚みの階層に応じてこの距離Ｘを５０〜１５０ｃｍ又は１５０〜１，０００ｃｍとしてもよい。本考案はまた基板１９を含み、基板１９の水平面上に少なくとも１つのクッションブロック１８を設け、クッションブロック１８は下部鉄筋メッシュ１１を基板１９の水平面上に設置することができる。
【００１２】
下部鉄筋メッシュ１１は複数本の同一水平面の縦方向鉄筋１１１を含み、縦方向鉄筋１１１は互いに平行でしかも両者間の間隔は決まった間隔であり、また異なる設計ニーズに応じて縦方向鉄筋１１１の間の距離を調整することもできる。この間隔の距離は約１５〜３０ｃｍであるため、縦方向鉄筋１１１の間の距離は通常距離Ｘより小さく、また縦方向鉄筋１１１の間の距離は異なる設計ニーズに応じて距離Ｘより大きくすることもできる。
【００１３】
下部鉄筋メッシュ１１はまた複数本の同一水平面の横方向鉄筋１１３も含み、横方向鉄筋１１３は互いに平行で同一水平面にあり、縦方向鉄筋１１１と横方向鉄筋１１３は互いに交錯して少なくとも１つの第１収納箇所１１５を形成する。
【００１４】
本考案の新型の中空床構造１は下部鉄筋メッシュ１１、上部鉄筋メッシュ１３及び中空軽量部材１５を含む。中空軽量部材１５は基板１９の水平面上に設けて第１収納箇所１１５を貫通する。中空軽量部材１５の素材はガスを注入して拡張することが不可能な素材で構成される。その材料は紙類（例：厚紙、クラフトボード、段ボール、コーティングホワイトボード、グレーボード、コーティングボード、軽量コート段ボール、上質段ボール、ガラスペーパーボード、包装用段ボール、ノンカーボンペーパーボード、コピーペーパーボード、コンピュータレポート用ペーパーボード、感熱記録用ペーパーボード、耐油用ペーパーボード、防錆用ペーパーボード等）で、またこの素材はポリエチレン（Ｐｏｌｙｅｔｈｙｌｅｎｅ，ＰＥ）、ポリプロピレン（Ｐｏｌｙｐｒｏｐｙｌｅｎｅ，ＰＰ）、ポリ塩化ビニル（Ｐｏｌｙｖｉｎｙｌ  Ｃｈｌｏｒｉｄｅ，ＰＶＣ）、ＡＢＳ樹脂（Ａｃｒｙｌｏｎｉｔｒｉｌｅ−Ｂｕｔａｄｅｎｅ−Ｓｔｙｒｅｎｅ，ＡＢＳ）、アクリル樹脂（Ａｃｒｙｌｉｃ  Ｒｅｓｉｎ，ＰＭＭＡ）、ポリアミド（Ｐｏｌｙａｍｉｄｅ，ＰＡ−６，ＰＡ−６６，ＰＡ−４６，ＰＡ−１１，ＰＡ−１２）、ポリエチレンフタレート（Ｐｏｌｙｅｔｈｙｌｅｎｅｐｈｔｈａｌａｔｅ，ＰＥＴ）、ポリブチレンテレフタレート（ｐｏｌｙｂｕｔｙｌｅｎｅ  ｔｅｒｅｐｈｔｈａｌａｔｅ，ＰＢＴ）、ポリアセタール（ポリオキシメチレン）（Ｐｏｌｙａｃｅｔａｌ，Ｐｏｌｙｏｘｙ  Ｍｅｔｈｙｌｅｎｅ，ＰＯＭ）、ポリカーボネート（Ｐｏｌｙｃａｒｂｏｎａｔｅ，ＰＣ）、ポリフェニレンサルファイド（Ｐｏｌｙｐｈｅｎｙｌｅｎｅ  Ｓｕｌｆｉｄｅ，ＰＰＳ）、液晶ポリマー（Ｌｉｑｕｉｄ  Ｃｒｙｓｔａｌ  Ｐｏｌｙｍｅｒ，ＬＣＰ）、ポリエーテル・エーテル・ケトン（Ｐｏｌｙｅｔｈｅｒ  Ｅｔｈｅｒ  Ｋｅｔｏｎｅ，ＰＥＥＫ）、ポリテトラフルオロエチレン（Ｐｏｌｙｔｅｔｒａｆｌｕｏｒｏｅｔｈｙｌｅｎｅ，ＰＴＦＥ）、ポリオキシベンジレン（Ｐｏｌｙｏｘｙｂｅｎｚｙｌｅｎｅ，ＰＯＢ）、ポリフェニレン・サルファイド（Ｐｏｌｙｐｈｅｎｙｌｅｎｅ  Ｓｕｌｆｉｄｅ，ＰＥＳ）、ポリスルホン（Ｐｏｌｙｓｕｌｆｏｎｅ，ＰＳＦ）、ポリアリレート（Ｐｏｌｙａｒｙｌａｔｅ，Ｕ−Ｐｏｌｙｍｅｒ，ＰＡＲ）、ポリエーテルイミド（Ｐｏｌｙｅｔｈｅｒｉｍｉｄｅ，ＰＥＩ）、ポリアミドイミド（Ｐｏｌｙａｍｉｄｅｉｍｉｄｅ，ＰＡＩ）及び上記の素材の化合物から選択することができる。この中空軽量部材１５は床の熱伝導係数を減らすことができるので、さらに断熱機能を達成することができ、これにより防寒効果を増すと共に、セメントの使用量を減らすことができる。この中空軽量部材１５はその底部に含まれる接着面１５１で基板１９水平面に接着させて固定する。この場合、中空軽量部材１５は通常第１収納箇所１１５を貫通するので、第１収納箇所１１５が取り囲む面積は、第１収納箇所１１５をスムースに貫通するために、一般的に中空軽量部材１５の断面積より大きくなければならない。また、この中空軽量部材１５の内部は中空であることから、中空軽量部材１５内部のガスと大気の成分とは同様である。
【実施例２】
【００１５】
別の実施形態では、中空軽量部材１５の内部スペースに予め反応が起き難い不活性ガスを充填した上で、上下の基板１９で固定して密封することができる。この不活性ガスはヘリウムが最適である。またこの不活性ガスはネオン、アルゴン、クリプトン、キセノン、ラドン、及びその他の水素、窒素等ガスを含むが、この場合、ガスは単一のガスであることから、人手による充填方法が好ましい。
【００１６】
上部鉄筋メッシュ１３は複数本の同一水平面の縦方向鉄筋１３１と複数本の同一水平面の横方向鉄筋１３３を含み、これらが形成する平面は互いに平行である。一方、縦方向鉄筋１３１と横方向鉄筋１３３は互いに交錯して少なくとも１つの第２収納箇所１３５を形成する。
【００１７】
本考案の新型の中空床構造１はセメントが注入されて一塊のコンクリート構造（新型の中空床１０ともいう）を形成する。図２に示すように、新型の中空床構造１は下部鉄筋メッシュ１１、上部鉄筋メッシュ１３及び中空軽量部材１５を含む。中空軽量部材１５は長方形の柱状で、中空軽量部材１５が貫通する第１収納箇所１１５とこれに対応する第２収納箇所１３５の形状は正方形であるが、また長方形でもよい。
【実施例３】
【００１８】
図３示すように、中空軽量部材１５は円筒状の中空軽量部材１５で構成される。上部鉄筋メッシュ１３と下部鉄筋メッシュ１１の縦方向鉄筋１１１、１３１と横方向鉄筋１１３、１３３の鉄筋は竹節や圧痕やすべすべした異形鉄筋、及び上記の鉄筋を混合した鉄筋から選択する。従って、前記の鉄筋は同じ又は異なる鉄筋を組み合わせることができ、その交錯角度は約９０度である。
【実施例４】
【００１９】
図４に示すように、中空軽量部材１５は同時に円筒状と長方形状の中空軽量部材を混合させた構造で構成することもできる。下部鉄筋メッシュ１１と上部鉄筋メッシュ１３は第１収納箇所１１５と第２収納箇所１３５を必ず形成しなければいけないことはない。図４、５に示すように、下部鉄筋メッシュ１１と上部鉄筋メッシュ１３及び中空軽量部材１５の材料、構成方法、対応する配置は大筋で従前の実施形態と同様であるが、下部鉄筋メッシュ１１と上部鉄筋メッシュ１３の縦方向鉄筋１１１、１３１と横方向鉄筋１１３、１３３が交錯する密度は明らかに従前の実施形態より高くなければならない。従って、中空軽量部材１５は下部鉄筋メッシュ１１又は上部鉄筋メッシュ１３を貫通することができず、下部鉄筋メッシュ１１又は上部鉄筋メッシュ１３の間に設置される。そして順次下部鉄筋メッシュ１１を設置した上で中空軽量部材１５をその底部に含まれる接着面１５１で下部鉄筋メッシュ１１上に接着させなければならない。
【００２０】
この中空軽量部材１５を下部鉄筋メッシュ１１に設置した上で、上部鉄筋メッシュ１３を中空軽量部材１５の頂上に設置する。このうち、上部鉄筋メッシュ１３は仮固定して中空軽量部材１５上に設置するのが好ましい。また、上部鉄筋メッシュ１３は中空軽量部材１５の頂面１５３に直接組み立てることもできる。本考案の新型の中空床構造１の下部鉄筋メッシュ１１、上部鉄筋メッシュ１３及び中空軽量部材１５の設置が完了すると、最後にセメントを注入して新型の中空床１０が完成する。
【符号の説明】
【００２１】
１      新型の中空床構造
１０    新型の中空床
１１    下部鉄筋メッシュ
１１１  縦方向鉄筋
１１３  横方向鉄筋
１１５  第１収納箇所
１３    上部鉄筋メッシュ
１３１  縦方向鉄筋
１３３  横方向鉄筋
１３５  第２収納箇所
１５    中空軽量部材
１５１  接着面
１５３  頂面
１８    クッションブロック
１９    基板
【図１】
0003160373.tif 000003
【図２】
0003160373.tif 000004
【図３】
0003160373.tif 000005
【図４】
0003160373.tif 000006
【図５】
0003160373.tif 000007
【手続補正書】
【提出日】平成22年4月8日(2010.4.8)
【手続補正１】
【補正対象書類名】実用新案登録請求の範囲
【補正対象項目名】全文
【補正方法】変更
【補正の内容】
【実用新案登録請求の範囲】
【請求項１】
基板と、
複数本の同一水平面の縦方向鉄筋と複数本の同一水平面の横方向鉄筋を含み、前記複数本の縦方向鉄筋と前記複数本の横方向鉄筋は互いに交錯して少なくとも1つの第1収納箇所を形成し前記基板上に設置される下部鉄筋メッシュと、
前記基板上に設けられて前記第1収納箇所を貫通し、又は前記下部鉄筋メッシュ上に設けられる中空軽量部材と、
複数本の同一水平面の縦方向鉄筋と複数本の同一水平面の横方向鉄筋を含む上部鉄筋メッシュと、
を含み、前記上部鉄筋メッシュの前記複数本の縦方向鉄筋は前記下部鉄筋メッシュの前記複数本の縦方向鉄筋に対応して設置され、前記上部鉄筋メッシュの前記複数本の縦方向鉄筋と前記複数本の横方向鉄筋は互いに交錯して少なくとも1つの第２収納箇所を形成し、前記第２収納箇所は前記第1収納箇所に対応して設置されることを特徴とする中空床構造。
【請求項２】
前記中空軽量部材は円筒状又は長方形の柱状の中空軽量部材でよいことを特徴とする請求項1に記載の中空床構造。
【請求項３】
前記第1収納箇所又は前記第２収納箇所の形状は正方形又は長方形であることを特徴とする請求項1に記載の中空床構造。
【請求項４】
前記中空軽量部材の底部は前記基板又は下部鉄筋メッシュに接着する接着面を含むことを特徴とする請求項1に記載の中空床構造。